(57)【要約】【課題】作業性を向上させた挿抜治具を提供すること。【解決手段】第１のコネクタを第２のコネクタに挿抜するための挿抜治具は、持ち手部と、第１のコネクタに係合する形状を有して第１のコネクタを保持する保持部と、を備え、保持部は、第１のコネクタに係合する形状を有する保持用端部と、保持用端部から延びて持ち手部に接続される接続部とを備え、保持用端部が延びる方向と、接続部が延びる方向とが成す角度は、直角又は鈍角である。【選択図】図１
2018139198.tif 000002
【特許請求の範囲】
【請求項１】
第１のコネクタを第２のコネクタに挿抜するための挿抜治具であって、
持ち手部と、
前記第１のコネクタに係合する形状を有して前記第１のコネクタを保持する保持部と、を備え、
前記保持部は、前記第１のコネクタに係合する形状を有する保持用端部と、前記保持用端部から延びて前記持ち手部に接続される接続部とを備え、
前記保持用端部が延びる方向と、前記接続部が延びる方向とが成す角度は、直角又は鈍角である、挿抜治具。
【請求項２】
前記保持部と前記持ち手部は別体である、請求項１に記載の挿抜治具。
【請求項３】
前記保持部の前記保持用端部には、前記保持部の幅方向に垂直な平面に延在するスリットが形成される、請求項２に記載の挿抜治具。
【請求項４】
前記スリットは幅方向に広がる拡大部を有する、請求項３に記載の挿抜治具。
【請求項５】
ピンセット型の請求項１に記載の挿抜治具であって、
前記持ち手部は２股に分かれて形成され、前記保持部は前記持ち手部の２股に分かれたそれぞれの端部から延びる一対の部分として構成され、前記保持部の前記保持用端部は、前記第１のコネクタを挟み込んで保持可能である、挿抜治具。
【請求項６】
前記持ち手部の幅は、前記保持部の幅よりも大きく設定されている、請求項１から５のいずれか１つに記載の挿抜治具。
【請求項７】
前記保持部は透明な材料で構成される、請求項１から６のいずれか１つに記載の挿抜治具。
【発明の詳細な説明】
【技術分野】
【０００１】
本発明は、第１のコネクタを第２のコネクタに挿抜するための挿抜治具に関する。
【背景技術】
【０００２】
従来より、第１のコネクタ（プラグ）を第２のコネクタ（レセプタクル）に挿抜するための挿抜治具が知られている（例えば、特許文献１参照）。
【０００３】
特許文献１の挿抜治具は、全体が一方向に延びる棒状の部材として構成された治具である。特許文献１の挿抜治具は、使用時には全体が鉛直方向に延びた状態で使用され、先端部にプラグを引っ掛けるための形状を有する。当該先端部にプラグを引っ掛けた後、下方に配置したレセプタクルに対してプラグを鉛直方向に挿抜する。
【先行技術文献】
【特許文献】
【０００４】
【特許文献１】特開第２０１５−１４９２６９号公報
【発明の概要】
【発明が解決しようとする課題】
【０００５】
しかしながら、特許文献１の挿抜治具は、全体が鉛直方向に配置して使用されるため、先端部に保持されているプラグの状態を確認するためには上方からでは見えず、横から覗き込む必要があった。このように、プラグを確認する際に不便な点があり、挿抜治具を使用する際の作業性に関して改善の余地があるといえる。
【０００６】
従って、本発明の目的は、前記問題を解決することにあって、作業性を向上させた挿抜治具を提供することにある。
【課題を解決するための手段】
【０００７】
前記目的を達成するために、本発明の挿抜治具は、第１のコネクタを第２のコネクタに挿抜するための挿抜治具であって、持ち手部と、前記第１のコネクタに係合する形状を有して前記第１のコネクタを保持する保持部と、を備え、前記保持部は、前記第１のコネクタに係合する形状を有する保持用端部と、前記保持用端部から延びて前記持ち手部に接続される接続部とを備え、前記保持用端部が延びる方向と、前記接続部が延びる方向とが成す角度は、直角又は鈍角である。
【発明の効果】
【０００８】
本発明の挿抜治具によれば、作業性を向上させることができる。
【図面の簡単な説明】
【０００９】
【図１】実施の形態１における挿抜治具の概略構成を示す斜視図
【図２】実施の形態１における挿抜治具の保持部周辺の概略構成を示す拡大斜視図
【図３】実施の形態１における挿抜治具の保持部周辺の概略構成を示す拡大側面図
【図４】実施の形態１における挿抜治具の保持部周辺の概略構成を示す拡大平面図
【図５Ａ】実施の形態１における挿抜治具の使用方法を説明するための概略斜視図
【図５Ｂ】実施の形態１における挿抜治具の使用方法を説明するための概略斜視図
【図５Ｃ】実施の形態１における挿抜治具の使用方法を説明するための概略斜視図
【図５Ｄ】実施の形態１における挿抜治具の使用方法を説明するための概略斜視図
【図６】実施の形態２における挿抜治具の概略構成を示す斜視図
【図７】実施の形態２における挿抜治具の保持部周辺の概略構成を示す拡大斜視図
【発明を実施するための形態】
【００１０】
本発明の第１態様によれば、第１のコネクタを第２のコネクタに挿抜するための挿抜治具であって、持ち手部と、前記第１のコネクタに係合する形状を有して前記第１のコネクタを保持する保持部と、を備え、前記保持部は、前記第１のコネクタに係合する形状を有する保持用端部と、前記保持用端部から延びて前記持ち手部に接続される接続部とを備え、前記保持用端部が延びる方向と、前記接続部が延びる方向とが成す角度は、直角又は鈍角である、挿抜治具を提供する。
【００１１】
このような構成によれば、保持用端部と接続部の成す角度が鋭角である場合や、保持用端部と接続部が鉛直方向に一体的に形成される場合に比べて、保持用端部に保持されている第１のコネクタを確認する際に、接続部が邪魔になりにくい。これにより、第１のコネクタの視認性を向上させることができ、挿抜治具を使用する際の作業性を向上させることができる。
【００１２】
本発明の第２態様によれば、前記保持部と前記持ち手部は別体である、第１態様に記載の挿抜治具を提供する。このような構成によれば、保持部と持ち手部のそれぞれの機能・特性などに応じて好ましい材料を選択する等の工夫が可能となる。
【００１３】
本発明の第３態様によれば、前記保持部の前記保持用端部には、前記保持部の幅方向に垂直な平面に延在するスリットが形成される、第２態様に記載の挿抜治具を提供する。このような構成によれば、上方からスリットを介して第１のコネクタを視認することができるため、第１のコネクタの視認性をさらに向上させることができる。
【００１４】
本発明の第４態様によれば、前記スリットは幅方向に広がる拡大部を有する、第３態様に記載の挿抜治具を提供する。このような構成によれば、拡大部によって第１のコネクタの視認性をさらに向上させることができる。
【００１５】
本発明の第５態様によれば、ピンセット型の第１態様に記載の挿抜治具であって、前記持ち手部は２股に分かれて形成され、前記保持部は前記持ち手部の２股に分かれたそれぞれの端部から延びる一対の部分として構成され、前記保持部の前記保持用端部は、前記第１のコネクタを挟み込んで保持可能である、挿抜治具を提供する。このような構成によれば、ピンセット型によって簡易な機構を採用しながら、保持用端部は第１のコネクタを挟み込んで保持するため、第１のコネクタをより確実に保持することができる。
【００１６】
本発明の第６態様によれば、前記持ち手部の幅は、前記保持部の幅よりも大きく設定されている、第１態様から第５態様のいずれか１つに記載の挿抜治具を提供する。このような構成によれば、持ち手部を太く、保持部を細く構成することで、持ち手部を持ちやすくして作業性を向上させるとともに、保持部が第１のコネクタを遮蔽する遮蔽面積を少なくすることで、第１のコネクタの視認性を向上させることができる。
【００１７】
本発明の第７態様によれば、前記保持部は透明な材料で構成される、第１態様から第６態様のいずれか１つに記載の挿抜治具を提供する。このような構成によれば、保持部自体を介して第１のコネクタを視認することができるため、第１のコネクタの視認性を向上させることができ、一方で、持ち手部については機能・特性などに応じて好ましい材料を選択することができる。
【００１８】
以下に、本発明にかかる実施の形態を図面に基づいて詳細に説明する。
【００１９】
（実施の形態１）
＜全体構成＞
図１は、実施の形態１における挿抜治具の概略構成を示す斜視図である。図２は、同挿抜治具の先端部周辺の概略構成を示す拡大斜視図であり、図３は拡大側面図、図４は拡大平面図である。
【００２０】
実施の形態１における挿抜治具２は、プラグ３をレセプタクル５に挿抜するための治具である。図１に示す例では、プラグ３としてケーブルプラグを例示し、レセプタクル５として同軸コネクタを例示している。図２、図３では、プラグ３およびレセプタクル５の図示を省略している。
【００２１】
本明細書では、プラグ３が第１のコネクタであり、レセプタクル５が第２のコネクタである。第１のコネクタは、ケーブルが接続されているコネクタであり、第２のコネクタは、ケーブルが接続されていないコネクタである。
【００２２】
実施の形態１における挿抜治具２は、持ち手部４と、保持部６とを備える。
【００２３】
持ち手部４は、挿抜治具２を使用する使用者が持つための把手の部分である。持ち手部４は、Ａ方向に沿って延びるように形成される。持ち手部４には、後述する保持部６を配置するための溝４ａがＡ方向に沿って形成されている。
【００２４】
保持部６は、プラグ３を保持するための部分である。保持部６は、持ち手部４の溝４ａに配置された状態で持ち手部４に固定されている。
【００２５】
実施の形態１では、持ち手部４と保持部６は別体で構成される。これにより、持ち手部４と保持部６に異なる材料を用いることが可能となる。
【００２６】
保持部６は、図２に示すように、保持用端部８と、接続部１０とを備える。
【００２７】
保持用端部８は、プラグ３に係合する部分であって、保持部６の先端側の端部である。実施の形態１における保持用端部８は、プラグ３に係合するための形状として爪部８ａを備える。爪部８ａは、プラグ３を引っ掛けることによりプラグ３を保持可能である。
【００２８】
保持用端部８は、後述する接続部１０からＢ方向に突出して形成されている。保持用端部８が延びるＢ方向は、前述した持ち手部４が延びるＡ方向に交差する方向である。爪部８ａも同様にＢ方向に突出して形成されている。
【００２９】
接続部１０は、保持用端部８を持ち手部４に接続するための部分である。接続部１０は、保持用端部８と一体的に形成されている。接続部１０は、保持用端部８から傾斜して延びている。具体的には、保持用端部８がＢ方向に延びるのに対して、接続部１０は前述した持ち手部４と同じＡ方向に延びている。
【００３０】
図３に示すように、保持用端部８が延びるＢ方向と、接続部１０が延びるＡ方向とが成す角度αは鈍角に設定されている。このような角度の設定により、爪部８ａに保持されているプラグ３を上方から確認する際に、保持用端部と接続部の成す角度が鋭角である場合や、保持用端部と接続部が鉛直方向に一体的に形成される場合に比べて、接続部１０が邪魔になりにくい。このような構成により、プラグ３の視認性を向上させることができる。
【００３１】
なお、保持用端部８が延びるＢ方向と、接続部１０が延びるＡ方向とが成す角度αは、直角であってもよい。このような場合であっても、接続部１０が邪魔になりにくく、プラグ３の視認性を向上させることができる。特に、接続部１０のＢ方向の長さが、プラグ３において保持用端部８によって保持される先端部分（ケーブルを除くコネクタ部分）の同方向の長さよりも長ければ、プラグ３の保持状態において上方から見たときにプラグ３の保持部分全体を視認することができる。このように、角度αは、直角又は鈍角（９０度以上１８０度未満）に設定すればよい。単なる例示として、角度αは例えば１３５度に設定してもよい。
【００３２】
図２に示すように、接続部１０は、持ち手部４の溝４ａに配置された状態で、持ち手部４に固定されている。接続部１０は、持ち手部４によって少なくとも部分的に囲まれている。接続部１０および保持用端部８の幅は、持ち手部４の幅よりも短く設定されている（Ｃ方向）。
【００３３】
図２に示すように、保持用端部８および接続部１０には、連続的なスリット１２が形成されている。このようなスリット１２を形成することで、保持用端部８および接続部１０が２股に分かれるように形成される。
【００３４】
スリット１２は、２股に分かれた保持用端部８および接続部１０が幅方向Ｃに広がるための隙間として設けられている。すなわち、保持用端部８の爪部８ａでプラグ３を保持したときに、プラグ３の幅の大きさによって保持用端部８および接続部１０が幅方向Ｃの外側に押圧されたときに広がることを可能にするための隙間である。
【００３５】
スリット１２は、保持用端部８および接続部１０を鉛直方向に貫通するように形成されている。言い換えれば、スリット１２は、幅方向Ｃに垂直な平面（鉛直平面）に延在している。このような構成によれば、図４に示す平面視において、保持部６に保持されているプラグ３を上方から確認する際に、スリット１２を介して視認することができる。このように、本実施の形態１のスリット１２は、保持部６が幅方向Ｃに広がるための隙間として機能するだけでなく、プラグ３の視認性を向上させるという別の機能を発揮する。
【００３６】
図４に示すように、スリット１２の先端部には拡大部１２ａが設けられている。拡大部１２ａは、スリット１２の幅方向Ｃの長さが拡大された部分である。拡大部１２ａは、拡大部１２ａを除くスリット１２の部分である等幅部１２ｂよりも大きい幅を有する。拡大部１２ａを設けることにより、保持用端部８の先端においてプラグ３の視認可能な面積が広がるため、プラグ３の視認性を向上させることができる。
【００３７】
＜挿抜治具２の使用方法＞
上述した構成を有する挿抜治具２を用いてプラグ３をレセプタクル５に挿抜する方法について、図５Ａ−図５Ｄを用いて説明する。
【００３８】
図５Ａに示すように、使用者はまず、挿抜治具２の持ち手部４を持つとともに、挿抜治具２の下方に配置されたプラグ３に向けて挿抜治具２を下方に移動させる（矢印参照）。挿抜治具２を下方に移動させることにより、挿抜治具２の保持用端部８によってプラグ３を覆うように配置する。
【００３９】
当該動作において、保持用端部８が延びるＢ方向は水平方向に一致する。すなわち、挿抜治具２の保持用端部８は、水平方向に延びるように配置された状態が維持される。また接続部１０は、保持用端部８から斜め上方に延びた状態が維持される。接続部１０が延びるＡ方向は水平方向から傾斜した方向である。挿抜治具２を移動させる動作は人が行うものであるため、これらの方向には多少のずれが生じうる。
【００４０】
次に、図５Ｂに示すように、挿抜治具２を前進させる。具体的には、保持用端部８が延びるＢ方向に沿って挿抜治具２を移動させる（矢印参照）。
【００４１】
これにより、保持用端部８をプラグ３の先端部に接触させる。前述した保持用端部８の爪部８ａにプラグ３を引っ掛けることで、プラグ３を保持することができる。このとき、プラグ３の先端部の大きさが爪部８ａの間隙（スリット１２）よりも大きい場合には、保持部６は幅方向Ｃに広げられる。これにより、プラグ３は爪部８ａによって挟まれた状態となり、強固に保持される。
【００４２】
次に、図５Ｃに示すように、プラグ３を下降させる（矢印参照）。具体的には、爪部８ａに保持しているプラグ３を下方に配置したレセプタクル５に向けて下降させる。
【００４３】
その後、図５Ｄに示すように、プラグ３をレセプタクル５に挿入する。これにより、レセプタクル５に対するプラグ３の挿入・接続が完了する。
【００４４】
図５Ａ−図５Ｄではプラグ３をレセプタクル５に挿入する方法について説明したが、レセプタクル５からプラグ３を抜く場合には、図５Ａ−図５Ｄの動作とは逆の順序の動作を実行すればよい。
【００４５】
＜作用・効果＞
図５Ａ−５Ｄに示す動作において、挿抜治具２の姿勢は概ね一定に維持される。具体的には、保持用端部８は水平方向に延びた状態で維持され、接続部１０は保持用端部８から斜め上方に延びた状態で維持される。このような構成によれば、保持用端部と接続部の成す角度が鋭角である場合や、保持用端部と接続部が鉛直方向に一体的に形成される場合に比べて、保持用端部８に保持されているプラグ３を確認する際に、接続部１０が邪魔になりにくい。これにより、プラグ３を上方あるいは斜め上方から明瞭に視認することができる。このようにプラグ３の視認性を向上させることができ、挿抜治具２の作業性の向上につなげることができる。
【００４６】
挿抜治具２の保持部６に設けられたスリット１２は、幅方向Ｃに垂直な平面に延在する隙間であり、使用時において鉛直方向に貫通するように延びる。このような構成によれば、使用者が保持用端部８に保持されているプラグ３を確認する際に、スリット１２を介して上方からプラグ３を視認することができる。これにより、プラグ３の視認性をさらに向上させることができ、挿抜治具２の作業性をさらに向上させることができる。
【００４７】
さらに実施の形態１では、スリット１２には幅方向Ｃに広がる拡大部１２ａが設けられている。このような拡大部１２ａを設けることにより、プラグ３の視認性をさらに向上させることができる。
【００４８】
さらに実施の形態１では、挿抜治具２の持ち手部４と保持部６は別体である。これにより、持ち手部４と保持部６のそれぞれの機能・特性などに応じて好ましい材料を選択する等の工夫が可能となる。例えば、保持部６を透明な材料で構成することで、プラグ３の視認性をさらに向上させることができる。一方で、持ち手部４の材料は透明な材料に限らず任意の材料を選択することができるため、持ち手部４の機能・特性などに応じて好ましい材料を選択することができる。
【００４９】
さらに実施の形態１では、持ち手部４が保持部６の接続部１０を囲むように設けられており、持ち手部４の幅は、保持部６の幅よりも大きく設定されている。このように、持ち手部４の幅を大きく設定することで、使用者が持ち手部４を持ちやすくなり、作業性を向上させることができる。また、保持部６の幅を小さく設定することで、プラグ３を上方あるいは斜め上方から見たときに、保持部６によってプラグ３が遮蔽される遮蔽面積を小さくすることができ、プラグ３の視認性を向上させることができる。このように持ち手部４を太く、保持部６を細く構成することで、作業性の向上と視認性の向上を図ることができる。
【００５０】
上述したように、本実施の形態１の挿抜治具２は、プラグ（第１のコネクタ）３をレセプタクル（第２のコネクタ）５に挿抜するための挿抜治具である。挿抜治具２は、持ち手部４と、保持部６とを備える。保持部６は、保持用端部８と、接続部１０とを備える。保持用端部８は、プラグ３に係合する形状を有する。なお、実施の形態１における保持用端部８は、挿抜治具２の使用時に水平方向に延びた状態で配置される。また、接続部１０は、保持用端部８から延びて持ち手部４に接続される。なお、実施の形態１における接続部１０は、挿抜治具２の使用時に保持用端部８から斜め上方に延びるように配置される。ここで、保持用端部８が延びるＢ方向と、接続部１０が延びるＡ方向とが成す角度αは、直角又は鈍角である。
【００５１】
このような構成によれば、挿抜治具２を使用する使用者が、保持部６に保持されているプラグ３を確認する際に接続部１０が邪魔になりにくく、プラグ３の視認性を向上させることができる。これにより、挿抜治具２を使用する際の作業性を向上させることができる。
【００５２】
（実施の形態２）
本発明に係る実施の形態２の挿抜治具について説明する。なお、実施の形態２では、主に実施の形態１と異なる点について説明する。実施の形態２においては、実施の形態１と同一又は同等の構成については同じ符号を付して説明する。また、実施の形態２では、実施の形態１と重複する記載は省略する。
【００５３】
図６は、実施の形態２の挿抜治具２０の概略構成を示す斜視図である。図７は、同挿抜治具２０の保持部周辺の概略構成を示す斜視図である。
【００５４】
図６、図７に示すように、実施の形態２の挿抜治具２０は、一体的なピンセット型の挿抜治具として構成されている点が、実施の形態１と異なる。
【００５５】
挿抜治具２０は、持ち手部２２と、保持部２４とを備える。実施の形態１では、持ち手部４および保持部６が別体で構成されているのに対して、実施の形態２では、持ち手部２２および保持部２４は一体的な部材として構成されており、全体として一体的なピンセット型の挿抜治具２０を構成する。
【００５６】
図６に示すように、持ち手部２２は、２股に分かれた部材として形成されている。
【００５７】
保持部２４は、持ち手部２２の２股に分かれたそれぞれの端部に設けられた一対の部分として形成されている。
【００５８】
保持部２４は、保持用端部２６と、接続部２８とを備える。図７に示すように、保持用端部２６には凹部２６ａが形成されている。図示を省略しているが、２つの保持用端部２６の両方に凹部２６ａが形成されており、凹部２６ａにプラグ３を配置して保持することができる。すなわち、実施の形態２の保持用端部２６は、プラグ３の先端部を幅方向であるＤ方向に挟み込むようにしてプラグ３を保持するものである。
【００５９】
図６に示すように、持ち手部２２の幅は、保持部２４の幅よりも大きく設定される（Ｅ方向）。実施の形態１と同様に、持ち手部２２は太く、保持部２４は細く構成している。
【００６０】
このような構成において、保持用端部２６はＦ方向に延びるとともに、接続部２８はＧ方向に延びている。実施の形態１と同様に、保持用端部２６が延びるＦ方向と、接続部２８が延びるＧ方向とが成す角度βは直角又は鈍角に設定されている。このような角度設定によれば、実施の形態１と同様に、保持用端部と接続部の成す角度が鋭角である場合や、保持用端部と接続部が鉛直方向に一体的に形成される場合に比べて、使用者が上方あるいは斜め上方からプラグ３を確認する際に、接続部２８が邪魔になりにくい。これにより、プラグ３を明瞭に視認することができ、プラグ３の視認性が向上し、挿抜治具２０の作業性を向上させることができる。
【００６１】
上述したように、本実施の形態２における挿抜治具２０は、ピンセット型の挿抜治具である。持ち手部２２は２股に分かれて形成されており、保持部２４は持ち手部２２の２箇所の端部からそれぞれ延びる一対の部分として構成される。保持部２４の保持用端部２６は、プラグ３を挟み込んで保持可能である。
【００６２】
このような構成によれば、ピンセット型によって簡易な機構を採用しながら、保持用端部２６はプラグ３を挟み込んで保持するため、プラグ３をより確実に保持することができる。
【００６３】
以上、上述の実施の形態１、２を挙げて本発明を説明したが、本発明は上述の実施の形態１、２に限定されない。例えば、実施の形態１では、持ち手部４と保持部６が別体である場合について説明したが、このような場合に限らず、一体的に構成してもよい。なお、持ち手部４と保持部６を別体で構成する方が、持ち手部４と保持部６のそれぞれに応じた材料を選択する等の工夫が可能となる。
【００６４】
また実施の形態１では、保持部６において保持用端部８と接続部１０が一体的に構成される場合について説明したが、このような場合に限らず、別体で構成してもよい。この場合、保持用端部８を透明材料で構成し、接続部１０を透明材料以外の材料で構成してもよい。
【００６５】
また実施の形態１では、保持部６において鉛直方向に延びるスリット１２が形成される場合について説明したが、このような場合に限らず、スリット１２を設けなくても良い。スリット１２を設けない場合であっても、保持用端部８に対して接続部１０が鈍角を成すように斜め上方に延びた状態で使用されるため、接続部１０が邪魔になりにくく、上方あるいは斜め上方からプラグ３を視認することができる。なお、スリット１２を設けた方がプラグ３の視認性が向上するとともに、プラグ３を保持用端部８に保持したときに幅方向Ｃに広がる空間として機能させることができ、プラグ３をより強固に保持することが可能となる。
【００６６】
また実施の形態１では、保持用端部８がプラグ３に係合して保持するための形状として爪部８ａを設ける場合について説明したが、このような場合に限らず、プラグ３に係合して保持可能な形状であれば、爪以外の任意の形状であってもよい。
【００６７】
また実施の形態１では、スリット１２の先端部に幅方向Ｃに広がる拡大部１２ａを形成する場合について説明したが、このような場合に限らない。例えば、拡大部１２ａを先端部以外の箇所に設けてもよく、あるいは、拡大部１２ａを設けない場合であってもよい。なお、拡大部１２ａを設けた方がプラグ３の視認可能な面積が広がるため、プラグ３の視認性を向上させることができる。
【００６８】
また実施の形態１では、持ち手部４が保持部６の接続部１０を囲むように設けられ、持ち手部４の幅は保持部６の幅よりも大きく設定される場合について説明したが、このような場合に限らない。例えば、持ち手部４と保持部６がオーバーラップしておらず、連接して接続されてもよい。また、持ち手部４の幅を保持部６の幅と同じ、あるいは保持部６の幅よりも小さく設定してもよい。なお、持ち手部４の幅を保持部６の幅よりも大きく設定した方が、持ち手部４を太くして作業性を向上させるとともに、保持部６を細くしてプラグ３の視認性を向上させることができる。
【００６９】
また実施の形態１では、持ち手部４が延びる方向と保持部６の接続部１０が延びる方向がともにＡ方向である場合について説明したが、このような場合に限らず、異なる方向に延びる場合であってもよい。
【００７０】
また、実施の形態２の挿抜治具２０において、実施の形態１の挿抜治具２と同様の工夫を行ってもよい。例えば、持ち手部２２と保持部２４を別体で構成してもよく、保持部２４を透明な材料で構成してもよい。
【００７１】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【００７２】
なお、前記様々な実施の形態および変形例のうちの任意の実施の形態あるいは変形例を適宜組み合わせることにより、それぞれの有する効果を奏するようにすることができる。
【産業上の利用可能性】
【００７３】
本発明は、プラグをレセプタクルに挿抜するための挿抜治具であれば適用可能である。
【符号の説明】
【００７４】
２  挿抜治具
３  プラグ（第１のコネクタ）
４  持ち手部
４ａ  溝
５  レセプタクル（第２のコネクタ）
６  保持部
８  保持用端部
８ａ  爪部
１０  接続部
１２  スリット
１２ａ  拡大部
１２ｂ  等幅部
２０  挿抜治具
２２  持ち手部
２４  保持部
２６  保持用端部
２６ａ  凹部
２８  接続部
【図１】
2018139198.tif 000003
【図２】
2018139198.tif 000004
【図３】
2018139198.tif 000005
【図４】
2018139198.tif 000006
【図５Ａ】
2018139198.tif 000007
【図５Ｂ】
2018139198.tif 000008
【図５Ｃ】
2018139198.tif 000009
【図５Ｄ】
2018139198.tif 000010
【図６】
2018139198.tif 000011
【図７】
2018139198.tif 000012